(57)【要約】【課題】ブレーキコアを水平に保持するために、ブレーキコアを電磁ブレーキ装置から抜ける方向へ移動させる作業員とは別の作業員を動員したり、チェーンブロックを使用したりせずに、電磁ブレーキ装置からブレーキコアを抜取ることができる電磁ブレーキ装置用作業台の提供。【解決手段】ブレーキコア１０の軸方向及び鉛直方向に広がる一対の鉛直板部１２Ａ，１２Ｂのそれぞれに形成される一対の傾斜面１２ａ，１２ｂを、ブレーキコア１０に対して下方から接触させ、一対の鉛直板部１２Ａ，１２Ｂと一体に形成されブレーキコア１０の下方に位置する躯体の部分３ａに載置される水平板部１３と、躯体の部分３ａに引っ掛かった状態で固定される固定部１４とによって一対の傾斜面１２ａ，１２ｂを支持するようにした。【選択図】図４
2007161466.tif 000002
【特許請求の範囲】
【請求項１】
水平な姿勢で配置されているブレーキコアを電磁ブレーキ装置から抜き取る際に用いられ、ブレーキコアに対して下方から接触した状態に配置される受部と、前記電磁ブレーキ装置の所定個所に取付けられて前記受部を支持する支持部とを有することを特徴とする電磁ブレーキ装置用作業台。
【請求項２】
請求項１記載の発明において、
前記受部は、下部側から上部側に広がる開口を形成する一対の傾斜面であることを特徴とする電磁ブレーキ装置用作業台。
【発明の詳細な説明】
【技術分野】
【０００１】
本発明は、エレベータを駆動する巻上機等の電磁ブレーキ装置の分解作業時に用いられる電磁ブレー装置用作業台に関する。
【背景技術】
【０００２】
電磁ブレーキ装置の分解方法としては、例えば特許文献１に示されるものがある。この分解方法は、ブレーキコアが鉛直な姿勢に配置された電磁ブレーキ装置を分解するための分解作業に適用されている。その分解作業では、把持部を有する治具をブレーキコアの上部に取付け、この治具の把持部を握ってブレーキコアを持ち上げることによってブレーキコアを抜取る、ということが行われる。
【特許文献１】特開平１１−１９９１５０号公報
【発明の開示】
【発明が解決しようとする課題】
【０００３】
前述した分解方法が適用される電磁ブレーキ装置は、ブレーキコアが鉛直な姿勢で配置されているため、作業員は電磁ブレーキ装置からブレーキコアを抜取る際、ブレーキコアを鉛直方向に沿って上方向へ持ち上げれば、電磁ブレーキ装置から抜ける方向へブレーキコアを移動させることができ、抜き取りやすい。
【０００４】
しかし、電磁ブレーキ装置には、ブレーキコアが鉛直な姿勢ではなく、水平な姿勢に配置されているものがある。このような電磁ブレーキ装置では、ブレーキコアを電磁ブレーキ装置から抜取る際、ブレーキコアを電磁ブレーキ装置から抜ける方向へ移動させることと同時に、ブレーキコアを水平に保持することが行われる。この場合、ブレーキコアを水平に保持するために、ブレーキコアを電磁ブレーキ装置から抜ける方向へ移動させる作業員とは別の作業員を動員したり、チェーンブロックを使用したりする必要がある。別の作業員の動員やチェーンブロックの使用は分解作業のコストを削減する上での障害であるため、この障害を解消することが要望されていた。
【０００５】
本発明は、前述の実状を考慮してなされたもので、その目的は、ブレーキコアを水平に保持するために、ブレーキコアを電磁ブレーキ装置から抜ける方向へ移動させる作業員とは別の作業員を動員したり、チェーンブロックを使用したりせずに、電磁ブレーキ装置からブレーキコアを抜取ることができる電磁ブレーキ装置用作業台を提供することにある。
【課題を解決するための手段】
【０００６】
〔１〕  本発明は、電磁ブレーキ装置に水平な姿勢で配置されているブレーキコアを抜き取る際に用いられ、ブレーキコアに対して下方から接触した状態に配置される受部と、前記電磁ブレーキ装置の所定個所に取付けられて前記受部を支持する支持部とを有することを特徴とする。
【０００７】
このように構成された本発明では、電磁ブレーキ装置の所定個所に支持部が取付けられた状態では、受部がブレーキコアに対して下方から接触している。この状態では、作業員がブレーキコアを電磁ブレーキ装置からブレーキコアが抜ける方向へ移動させると、ブレーキコアを受部が受け止めてブレーキコアを水平に保持する。したがって、ブレーキコアを水平に保持するために、ブレーキコアに対して電磁ブレーキ装置から抜ける方向の力をブレーキコアに与える作業員とは別の作業員を動員したり、チェーンブロックを使用したりせずに、ブレーキコアを抜き取ることができる。
【０００８】
〔２〕本発明は、「〔１〕」記載の発明において、前記受部は、下部側から上部側に広がる開口を形成する一対の傾斜面であることを特徴とする。
【発明の効果】
【０００９】
前述したように本発明では、ブレーキコアを水平に保持するために、ブレーキコアに対して電磁ブレーキ装置から抜ける方向の力を与える作業員とは別の作業員を動員したり、チェーンブロックを使用したりせずに、ブレーキコアを抜き取ることができる。これにより、電磁ブレーキ装置の分解作業のコストの削減に貢献できる。
【発明を実施するための最良の形態】
【００１０】
本発明の電磁ブレーキ装置の最良の実施形態を図１〜５を用いて説明する。
【００１１】
図１は本発明の電磁ブレーキ装置用作業台の最良の実施形態が適用される電磁ブレーキ装置を示す正面図、図２は図１に示すブレーキコアの拡大正面図、図３は図２のＡ−Ｂ−Ｃ断面図、図４は本発明の電磁ブレーキ装置用作業台の最良の実施形態を、図１に示す電磁ブレーキ装置に取付けた状態を示す図２に対応する拡大正面図、図５は図４の図３に対応する断面図である。
【００１２】
図１に示すように、電磁ブレーキ装置１は、例えばエレベータの機械室の床面に固定されるマシンベース２と、このマシンベース２に立設される躯体３と、この躯体３に軸４周りに回転可能に設けられるブレーキディスク５と、躯体３に取付けられる制動部６とを備えている。
【００１３】
図２，３に示すように、制動部６は、ブレーキディスク５を挟んで対向するブレーキシュー９Ａ，９Ｂと、これらのブレーキシュー９Ａ，９Ｂを覆うブレーキボディー７と、ブレーキシュー９Ａを駆動するブレーキコア１０とを備えている。
【００１４】
ブレーキシュー９Ａはブレーキコア１０から突出するピン１１に連結されている。ブレーキシュー９Ｂはピン８を介してブレーキボディー７に連結されている。ブレーキボディー７にはピン１１が挿通される孔７ａが形成されている。ブレーキコア１０は孔７ａにピン１１が挿通されるよう水平な姿勢でブレーキボディー７の外部に配置され固定されている。ブレーキボディー７は躯体３に固定されている。
【００１５】
本実施形態は、図４，５に示すように、ブレーキコア１０に対して下方から接触した状態に配置される受部と、電磁ブレーキ装置１の所定個所に取付けられて受部を支持する支持部とを有している。受部は、ブレーキコア１０の軸方向及び鉛直方向に広がる一対の鉛直板部１２Ａ，１２Ｂのそれぞれの上端部に形成される一対の傾斜面１２ａ，１２ｂからなる。この一対の傾斜面１２ａ，１２ｂ間に形成される開口は、下部側から上部側に広がっている。また、支持部は、一対の鉛直板部１２Ａ，１２Ｂと一体に形成されブレーキコア１０の下方に位置する躯体の部分３ａ（所定個所）に載置される水平板部１３と、躯体の部分３ａに引っ掛かった状態で固定される固定部１４とからなる。
【００１６】
このように構成された本実施形態は、電磁ブレーキ装置１からブレーキコア１０を抜取る際、次のようにして使用される。
【００１７】
作業員は、まず、ブレーキシュー９Ａをピン１１から取除く。次に、ブレーキコア１０に下方から一対の傾斜面１２ａ，１２ｂが接触するよう水平板部１３を躯体の部分３ａに載置しつつ、固定部１４を躯体の部分３ａに引っ掛け、固定部１４を躯体の部分３ａに固定する。
【００１８】
そして、ブレーキコア１０に対して電磁ブレーキ装置１から抜ける方向の力を与える。これにより、ブレーキコア１０は一対の傾斜面１２ａ，１２ｂに受け止められて水平に保持されながら、この一対の傾斜面１２ａ，１２ｂ上を移動し、この結果、ブレーキコア１０のピン１１がブレーキボディー７から抜ける。
【００１９】
本実施形態によれば次の効果を得られる。
【００２０】
本実施形態は、電磁ブレーキ装置１（ブレーキボディー７）から抜ける方向へ移動するブレーキコア１０を、一対の傾斜面１２ａ，１２ｂが受け止めて水平に保持することができる。これにより、ブレーキコア１０を水平に保持するために、ブレーキコア１０を電磁ブレーキ装置１から抜ける方向へ移動させる作業員とは別の作業員を動員したり、チェーンブロックを使用したりせずに、ブレーキコアを抜き取ることができる。したがって、電磁ブレーキ装置１の分解作業のコスト削減に貢献できる。
【００２１】
また、本実施形態は、電磁ブレーキ装置の分解作業時に限らず、組立作業時にも、ブレーキコア１０を水平に保持することができる。これにより、ブレーキコア１０を電磁ブレーキ装置１に組込む方向へ移動させる作業員とは別の作業員を動員したり、チェーンブロックを使用したりせずに済ませることができ、電磁ブレーキ装置１の組立作業のコスト削減に貢献できる。
【００２２】
また、本実施形態では、ブレーキコア１０に下方から接触する受部が一対の傾斜面１２ａ，１２ｂからなるので、ブレーキコア１０に下方から接触するように配置しやすい。
【図面の簡単な説明】
【００２３】
【図１】本発明の電磁ブレーキ装置用作業台の最良の実施形態が適用される電磁ブレーキ装置を示す正面図である。
【図２】図１に示すブレーキコアの拡大正面図である。
【図３】図２のＡ−Ｂ−Ｃ断面図である。
【図４】本発明の電磁ブレーキ装置用作業台の最良の実施形態を、図１に示す電磁ブレーキ装置に取付けた状態を示す図２に対応する拡大正面図である。
【図５】図４の状態における図３に対応する断面図である。
【符号の説明】
【００２４】
１              電磁ブレーキ装置
２              マシンベース
３              躯体
３ａ            躯体の部分
４              軸
５              ブレーキディスク
６              制動部
７              ブレーキボディー
７ａ            孔
８              ピン
９Ａ，９Ｂ      ブレーキシュー
１０            ブレーキコア
１１            ピン
１２Ａ，１２Ｂ  鉛直板部
１２ａ，１２ｂ  傾斜面
１３            水平板部
１４            固定部
【図１】
2007161466.tif 000003
【図２】
2007161466.tif 000004
【図３】
2007161466.tif 000005
【図４】
2007161466.tif 000006
【図５】
2007161466.tif 000007